(57)【特許請求の範囲】
【請求項１】
鉄鋼プラントのプロセスデータを画面表示するとともにオペレータからの入力を受け付ける画面表示装置と、前記鉄鋼プラントの制御ネットワークとに接続された鉄鋼プラント用データサーバ装置において、
前記制御ネットワークとインタフェースする第１のインタフェース手段と、
前記第１のインタフェース手段を介して前記制御ネットワークからプロセスデータを定周期に読み取る定周期データ収集手段と、
前記定周期データ収集手段が収集したプロセスデータを時系列データとして記憶装置に保存する時系列データ保存手段と、
前記画面表示装置とインタフェースする第２のインタフェース手段と、
前記第２のインタフェース手段を介して入力タグ信号として受け取ったオペレータ操作信号を解釈する入力タグ解釈手段と、
前記入力タグ信号が通常の操作タグとして解釈された場合、前記入力タグ信号を処理して得られる操作信号を前記第１のインタフェース手段を介して前記制御ネットワークへ出力する入力信号処理手段と、
前記入力タグ信号が時間差指定タグとして解釈された場合、前記時間差指定タグに基づいて現在時刻に対する時間差を指定する時間差指定手段と、
前記記憶装置に保存された時系列データから前記時間差指定手段によって指定された時間差だけ遅れた時刻のデータを取り出して前記画面表示装置に表示させる時間遅れ表示データを生成し、生成した時間遅れ表示データを前記第２のインタフェース手段を介して前記画面表示装置に供給する時間遅れ表示データ生成手段と、
を備えることを特徴とする鉄鋼プラント用データサーバ装置。
【請求項２】
前記時間遅れ表示データ生成手段が前記画面表示装置へ時間遅れ表示データを供給する周期に合わせて、前記時間差指定手段による指定時間差から一定時間を減算する時間差減算手段をさらに備え、
前記時間遅れ表示データ生成手段は、前記記憶装置に保存された時系列データから前記時間差減算手段によって減算された指定時間差だけ遅れた時刻のデータを取り出すことを特徴とする請求項１に記載の鉄鋼プラント用データサーバ装置。
【請求項３】
前記時間差指定タグにはデータ項目指定タグが含まれ、
前記入力タグ信号が時間差指定タグとして解釈された場合に、前記データ項目指定タグに基づいて前記画面表示装置に表示させるデータ項目を指定するデータ項目指定手段をさらに備え、
前記時間遅れ表示データ生成手段は、前記データ項目指定手段で指定されたデータ項目に関し、前記記憶装置に保存された時系列データから前記指定時間差だけ遅れた時刻のデータを取り出して前記時間遅れ表示データを生成することを特徴とする請求項１又は２に記載の鉄鋼プラント用データサーバ装置。
【発明の詳細な説明】
【技術分野】
【０００１】
この発明は、鉄鋼プラントのプロセスを監視するためのプラント監視システムを構成するデータサーバ装置に関し、詳しくは、鉄鋼プラントのプロセスデータを表示するとともにオペレータからの入力を受け付ける画面表示装置に対して画面表示させるべきプロセスデータを提供するデータサーバ装置に関する。
【背景技術】
【０００２】
鉄鋼プラントや化学プラント等のプロセスプラントには、そのプロセスを監視するためのプラント監視システムが備えられている。プラント監視システムは、プラントのプロセスデータを収集し、それらを表やトレンドグラフの形式で画面表示することができる。
【０００３】
かつてのプラント監視システムは、現時点のプロセスデータがリアルタイムで画面表示されるのみであった。このため、何らかのトラブルが発生した場合に、過去に遡ってトラブルの解析を行うことは困難であった。しかし、近年では、例えば特開昭６０−１０１１９号公報に開示されているように、現時点でのプロセスデータを表示することに加え、記憶装置に保存されたプロセスデータを読み出して表示することができるプラント監視システムが知られている。この公報に開示された従来の監視システムによれば、必要に応じて過去の特定時点のデータや過去から現在に至るデータの推移を画面に表示させることができる。
【先行技術文献】
【特許文献】
【０００４】
【特許文献１】特開昭６０−１０１１９号公報
【発明の概要】
【発明が解決しようとする課題】
【０００５】
ところで、現在実用されている汎用の監視システム（ＳＣＡＤＡシステム）においては、オペレータからの入力を受け付けるとともにプロセスデータを表示することもできる画面表示装置（汎用の画面表示装置）がＨＭＩとして用いられている。この場合、オペレータはＨＭＩとしての画面表示装置を常に操作し監視していることから、画面表示装置において過去のプロセスデータを表示させることができるならば、トラブルを解析しそれに対処することに大いに役立つものと思われる。
【０００６】
しかし、上記公報に開示された従来の監視システムは、データ表示のための描画機能とデータサーバ機能とが装置専用のインタフェースによって密結合しているため、汎用の画面表示装置を用いることはできなかった。つまり、トラブルの解析のために過去のプロセスデータを表示したいのであれば、ＨＭＩとして機能している汎用の画面表示装置ではなく専用のデータ描画装置を用いて画面表示せざるを得ない。
【０００７】
さらに、従来の監視システムでは、画面表示を行うデータについてのみ記録装置への保存が行われる。このため、実際に何らかのトラブルが発生した場合に、そのトラブルに関連するデータが表示項目に含まれていなければ、データの画面表示によるトラブルの解析を行うことはできない。トラブルの解析を行うためには、表示項目を変更して必要なデータを記録装置へ保存するようにした上で、トラブルが再発するのを待たざるを得ない。
【０００８】
本発明は、上述のような課題に鑑みなされたもので、トラブルが発生した後にトラブルの解析に最適なデータをＨＭＩとしての画面表示装置に表示させることができる鉄鋼プラント用データサーバ装置を提供することを目的とする。
【課題を解決するための手段】
【０００９】
上記目的の達成のため、第１の発明に係る鉄鋼プラント用データサーバ装置は、
鉄鋼プラントのプロセスデータを画面表示するとともにオペレータからの入力を受け付ける画面表示装置と、前記鉄鋼プラントの制御ネットワークとに接続された鉄鋼プラント用データサーバ装置において、
前記制御ネットワークとインタフェースする第１のインタフェース手段と、
前記第１のインタフェース手段を介して前記制御ネットワークからプロセスデータを定周期に読み取る定周期データ収集手段と、
前記定周期データ収集手段が収集したプロセスデータを時系列データとして記憶装置に保存する時系列データ保存手段と、
前記画面表示装置とインタフェースする第２のインタフェース手段と、
前記第２のインタフェース手段を介して入力タグ信号として受け取ったオペレータ操作信号を解釈する入力タグ解釈手段と、
前記入力タグ信号が通常の操作タグとして解釈された場合、前記入力タグ信号を処理して得られる操作信号を前記第１のインタフェース手段を介して前記制御ネットワークへ出力する入力信号処理手段と、
前記入力タグ信号が時間差指定タグとして解釈された場合、前記時間差指定タグに基づいて現在時刻に対する時間差を指定する時間差指定手段と、
前記記憶装置に保存された時系列データから前記時間差指定手段によって指定された時間差だけ遅れた時刻のデータを取り出して前記画面表示装置に表示させる時間遅れ表示データを生成し、生成した時間遅れ表示データを前記第２のインタフェース手段を介して前記画面表示装置に供給する時間遅れ表示データ生成手段と、
を備えることを特徴とする。
【００１０】
第２の発明に係る鉄鋼プラント用データサーバ装置は、第１の発明に係る鉄鋼プラント用データサーバ装置において、
前記時間遅れ表示データ生成手段が前記画面表示装置へ時間遅れ表示データを供給する周期に合わせて、前記時間差指定手段による指定時間差から一定時間を減算する時間差減算手段をさらに備え、
前記時間遅れ表示データ生成手段は、前記記憶装置に保存された時系列データから前記時間差減算手段によって減算された指定時間差だけ遅れた時刻のデータを取り出すことを特徴とする。
【００１１】
第３の発明に係る鉄鋼プラント用データサーバ装置は、第１の発明又は第２の発明に係る鉄鋼プラント用データサーバ装置において、
前記時間差指定タグにはデータ項目指定タグが含まれ、
前記入力タグ信号が時間差指定タグとして解釈された場合に、前記データ項目指定タグに基づいて前記画面表示装置に表示させるデータ項目を指定するデータ項目指定手段をさらに備え、
前記時間遅れ表示データ生成手段は、前記データ項目指定手段で指定されたデータ項目に関し、前記記憶装置に保存された時系列データから前記指定時間差だけ遅れた時刻のデータを取り出して前記時間遅れ表示データを生成することを特徴とする。
【発明の効果】
【００１２】
第１の発明に係る鉄鋼プラント用データサーバ装置によれば、トラブルが発生した場合、オペレータがＨＭＩとしての画面表示装置を操作して画面表示させるデータの現在時刻に対する時間差を指定することにより、記憶装置に保存された時系列データから指定時間差だけ遅れた時刻のデータが取り出され画面表示装置に表示される。これにより、オペレータは、トラブル発生時のプロセスデータをトラブルの再発を待たずにＨＭＩとしての画面表示装置において確認し、トラブルを解析することができる。
【００１３】
第２の発明に係る鉄鋼プラント用データサーバ装置によれば、画面表示の周期に合わせて指定時間差から一定時間が減算されることにより、ＨＭＩとしての画面表示装置には記憶装置に保存された時系列データが実時間より短時間で提供される。これにより、オペレータがトラブル発生時のプロセスデータを確認するのに要する時間を短縮することができる。
【００１４】
第３の発明に係る鉄鋼プラント用データサーバ装置によれば、オペレータがＨＭＩとしての画面表示装置を操作して画面表示させるデータの項目を指定することにより、指定されたデータ項目に関して、記憶装置に保存された時系列データから指定時間差だけ遅れた時刻のデータが取り出され画面表示装置に表示される。これにより、オペレータは、自身がトラブルの解析に必要と判断するデータを選択的に画面表示させることができ、ＨＭＩとしての画面表示装置をトラブルの解析に適切な画面に変更することができる。
【図面の簡単な説明】
【００１５】
【図１】本発明の実施の形態１としての鉄鋼プラント用データサーバ装置の構成を示す図である。
【図２】時間遅れ表示データの生成機能について説明する図である。
【図３】画面表示装置に表示される画面の例を示す図である。
【図４】トラブル解析のためのデータフローを示す図である。
【図５】本発明の実施の形態２としての鉄鋼プラント用データサーバ装置の構成を示す図である。
【発明を実施するための形態】
【００１６】
実施の形態１． 
以下、図を参照して本発明の実施の形態１について説明する。
【００１７】
図１は、本発明の実施の形態１としての鉄鋼プラント用データサーバ装置（以下、単にデータサーバ装置という）の構成を示す図である。データサーバ装置１は鉄鋼プラントのプロセスを監視するプラント監視システム（ＳＣＡＤＡシステム）を構成している。
【００１８】
データサーバ装置１は制御ネットワーク２に接続されている。制御ネットワーク２には鉄鋼プラントの制御に用いられる１台又は複数台の制御ＰＬＣ３が接続されている。データサーバ装置１からは制御ネットワーク２を介して操作信号が制御ＰＬＣ３へ出力され、制御ＰＬＣ３からは制御ＰＬＣ３が有するプロセスデータ（ライン速度、板厚、温度、張力、アクチュエータ操作量等）が制御ネットワーク２を介してデータサーバ装置１へ取り込まれる。
【００１９】
データサーバ装置１は通信ネットワーク４に接続されている。通信ネットワーク４には時系列データ描画装置５と画面表示装置６とが接続されている。時系列データ描画装置５は制御ネットワーク２を介して制御ＰＬＣ３から取り込んだプロセスデータをトレンドグラフや表などの形式で表示する専用の装置である。一方、画面表示装置６はプラント監視システム（ＳＣＡＤＡシステム）におけるＨＭＩに相当し、鉄鋼プラントのプロセスデータを表示するとともにオペレータからの入力を受け付けることができる。画面表示装置６が有する描画機能は汎用の描画ソフトウェアによって実現されている。
【００２０】
図１におけるデータサーバ装置１を示す枠内には、データサーバ装置１が備える種々の機能がブロックで表されている。データサーバ装置１には各ブロックに対応するプログラムが用意され、それらがプロセッサによって実行されることによりブロックで表される機能がデータサーバ装置１において達成される。言い換えれば、データサーバ装置１はブロックで表される各機能を達成する手段を備えている。データサーバ装置１によって達成される機能には、プロセスデータインタフェース１０１、定周期データ収集機能１０３、時系列データ保存機能１０４、要求データ指示機能１０５、データサーバ機能に対応する専用インタフェース１０６、時系列データ取り出し機能１０７、ＯＰＣサーバ機能に対応する汎用インタフェース１０８、入力タグ解釈機能１０９、入力信号処理機能１１０、時間差指定機能１１１、及び時間遅れ表示データ生成機能１１２が含まれる。また、データサーバ装置１は、ハードウェアとして記憶装置１０２を備えている。
【００２１】
プロセスデータインタフェース１０１は、制御ネットワーク２とインタフェースし、制御ＰＬＣ３が有するプロセスデータを制御ネットワーク２からデータサーバ装置１内に取り込むとともに、データサーバ装置１が生成した制御ＰＬＣ３に対する操作信号を制御ネットワーク２へ出力する。
【００２２】
定周期データ収集機能１０３は、プロセスデータインタフェース１０１を通して入力されるプロセスデータを一定時間ごとに、すなわち、定周期に読み取って収集する機能である。
【００２３】
時系列データ保存機能１０４は、定周期データ収集機能１０３によって収集されたプロセスデータを時系列に並べ、時系列データとして記憶装置１０２に保存する機能である。
【００２４】
定周期データ収集機能１０３がプロセスデータを収集する仕様は、時系列データ描画装置５で設定される。収集仕様には、制御ＰＬＣ３からデータサーバ装置１にプロセスデータを取り込む周期や、取り込むデータの項目が含まれている。時系列データ描画装置５の画面は、これらの仕様をオペレータの画面操作によって設定できるように作りこまれている。
【００２５】
専用インタフェース１０６は、時系列データ描画装置５に対する専用のインタフェースである。時系列データ描画装置５からデータサーバ装置１へは、オペレータが設定した収集仕様を表現する収集仕様信号が送信される。専用インタフェース１０６は、収集仕様信号を受信してデータサーバ装置１に取り込む。
【００２６】
要求データ指示機能１０５は、専用インタフェース１０６が受け取った収集仕様信号を解釈し、収集すべきデータの項目や収集周期などを指定する機能である。要求データ指示機能１０５によって指定されたデータ項目や収集周期は、時系列データ保存機能１０４及び定周期データ収集機能１０３に設定される。
【００２７】
時系列データ取り出し機能１０７は、記憶装置１０２に保存された時系列データを記憶装置１０２から取り出す機能である。時系列データ取り出し機能１０７によって記憶装置１０２から取り出された時系列データは専用インタフェース１０６に渡され、専用インタフェース１０６を介して時系列データ描画装置５に供給される。時系列データ描画装置５は供給された時系列データをディスプレイに表やトレンドグラフの形式で表示する。
【００２８】
汎用インタフェース１０８は、画面表示装置６とインタフェースし、ＨＭＩとしての画面表示装置６から入力タグ信号としてのオペレータ操作信号を受信するともに、画面表示装置６に表示させるデータを画面表示装置６に送信する。専用インタフェース１０６が時系列データ描画装置５と密結合する専用のインタフェースであるのに対し、汎用インタフェース１０８は画面表示装置６を構築する汎用描画ソフトウェアに対応したＯＰＣ仕様の汎用のインタフェースである。
【００２９】
入力タグ解釈機能１０９は、汎用インタフェース１０８を介して受け取った入力タグ信号（オペレータ操作信号）を解釈する機能である。入力タグ信号には、鉄鋼プラントを制御する目的でオペレータが画面表示装置６を操作したときにオペレータの操作に応じて出力される通常の操作タグと、トラブル解析のためのデータを画面表示させる目的でオペレータが画面表示装置６を操作したときにオペレータの操作に応じて出力される時間差指定タグとが含まれる。入力タグ解釈機能１０９により入力タグ信号が解釈されることによって、入力タグ信号が通常の操作タグと時間差指定タグのどちらなのかが判明する。
【００３０】
入力タグ信号が通常の操作タグとして解釈された場合には、入力信号処理機能１１０が働く。入力信号処理機能１１０によれば、入力タグ信号が処理されて制御ＰＬＣ３に対する操作信号が得られる。得られた操作信号はプロセスデータインタフェース１０１を介して制御ネットワーク２へ出力される。
【００３１】
一方、入力タグ信号が時間差指定タグとして解釈された場合には、時間差指定機能１１１が働く。時間差指定機能１１１によれば、時間差指定タグの値に基づいて現在時刻に対する時間差が指定される。
【００３２】
時間遅れ表示データ生成機能１１２は、画面表示装置６に表示させる時間遅れ表示データを生成する機能である。時間遅れ表示データ生成機能１１２によれば、時系列データ取り出し機能１０７を働かせることにより、記憶装置１０２に保存された時系列データから、時間差指定機能１１１によって指定された時間差だけ遅れた時刻のデータが取り出される。
【００３３】
時間遅れ表示データ生成機能１１２によるデータの取り出しについて具体例を用いて図解したものが図２である。例えば、図２に示すように、現在時刻が11:10:10.101で指定時間差が00:10:00の場合、要求時刻は11:00:10.101となる。収集時刻が11:00:10.101のデータが記憶装置１０２に保存されている時系列データの中にあるならば、そのデータが時系列データより取り出される。しかし、図２に示すように、要求時刻に合致するデータが存在しない場合は、保存されている時系列データの中から要求時刻の以前で要求時刻に一番近い時刻のデータ（この場合は、収集時刻が11:00:10.100のデータ)が時系列データより取り出される。時間遅れ表示データ生成機能１１２によれば、このような方法で取り出したデータに基づいて時間遅れ表示データが生成される。生成された時間遅れ表示データは、汎用インタフェース１０８を介して画面表示装置６に供給される。
【００３４】
図３は画面表示装置６に表示される画面の一例である。この例では、速度と張力とが鉄鋼プラントのラインを表現するグラフィック表示の中に数値で示されている。これらの数値は通常は現在値とされている。しかし、データサーバ装置１から時間遅れ表示データが供給されたときには、これらの数値は時間遅れ表示データによって現在時刻よりも指定時間差だけ過去の値に置き換えられる。
【００３５】
以上述べた機能がデータサーバ装置１に備えられたことにより、データサーバ装置１によって構成されるプラント監視システムでは、トラブルの発生後におけるトラブル解析が容易となる。その理由について図４に示すデータフローに基づいて説明する。
【００３６】
図４には、オペレータと画面表示装置６とデータサーバ装置１との間におけるデータのフローが表されている。まず、トラブルが発生した場合、オペレータはトラブルが発生した時刻に基づいて現在時刻に対する時間差をＨＭＩとしての画面表示装置６に入力する（ステップＳ１１）。トラブルの発生は、制御ＰＬＣ３から送られてくるプロセスデータに基づき、データサーバ装置１において自動で検知される。データサーバ装置１が有するトラブル検知機能（図示略）によってトラブルの発生が検知された場合、データサーバ装置１から画面表示装置６に信号が送られトラブルの発生時刻が画面表示装置６に表示される。オペレータは、表示されたトラブルの発生時刻を見て入力すべき時間差を判断することになる。
【００３７】
画面表示装置６は、オペレータが入力した時間差をオペレータ操作信号に変換し（ステップＳ２１）、データサーバ装置１に対する入力タグ信号としてオペレータ操作信号を送信する（ステップＳ２２）。
【００３８】
データサーバ装置１は、汎用インタフェース１０８を介して入力タグ信号を受信し（ステップＳ３１）、入力タグ解釈機能１０９によって入力タグ信号を解釈する（ステップＳ３２）。入力タグ信号が時間差指定タグではなく通常の操作タグであるならば、入力信号処理機能１１０によって制御ＰＬＣ３に対する操作信号を生成し、プロセスデータインタフェース１０１を介して制御ネットワーク２へ出力する（ステップＳ３７）。しかし、ここでは入力タグ信号は時間差指定タグであるので、データサーバ装置１は、時間差指定機能１１１により現在時刻に対する時間差を指定する（ステップＳ３３）。
【００３９】
次に、データサーバ装置１は、時間遅れ表示データ生成機能１１２により、記憶装置１０２に保存された時系列データから指定時間差だけ遅れた時刻のデータを取り出す（ステップＳ３４）。そして、取り出したデータに基づいて時間遅れ表示データを生成し（ステップＳ３５）、汎用インタフェース１０８を介して画面表示装置６に時間遅れ表示データを送信する（ステップＳ３６）。
【００４０】
画面表示装置６は、データサーバ装置１から供給される時間遅れ表示データを受信し（ステップＳ２３）、画面内の所定の位置に時間遅れ表示データを表示する（ステップＳ２４）。ここに表示されるデータは、現時刻より指定時間だけ過去の時刻におけるプロセスデータであり、そこにはトラブルの発生時刻とその前後におけるプロセスデータも含まれている。
【００４１】
これにより、オペレータは、トラブル発生時のプロセスデータをトラブルの再発を待たずにＨＭＩとしての画面表示装置６において確認し、トラブルを解析することができる（ステップＳ１２）。
【００４２】
実施の形態２．
次に、図を参照して本発明の実施の形態２について説明する。
【００４３】
図５は、本発明の実施の形態２としてのデータサーバ装置の構成を示す図である。図１で説明した実施の形態１と同一要素には同一符号を付し、説明を省略する。以下、本実施の形態の特徴部について説明する。
【００４４】
本実施の形態では、データサーバ装置１に時間差減算機能１１３が追加されている。時間差減算機能１１３は、画面表示装置６へ時間遅れ表示データが供給される周期に合わせて、時間差指定機能１１１で指定された時間差から一定時間を減算する機能である。このような機能が追加されたことにより、時間遅れ表示データ生成機能１１２によって記憶装置１０２から時系列データを取り出す際、取り出されるデータの収集時刻と現在時刻との時間差は周期ごとに一定時間ずつ短くされていく。例えば、画面表示装置６へのデータ供給周期が0.1秒の場合において、現在時刻が11:10:10.000で指定時間差が00:10:00.000であり、時間差減算機能１１３により毎周期00:00:00.100だけ指定時間差が減算されるものとする。この場合、初回のデータ供給では00:10:00.000の時間差、即ち収集時刻11:00:10.000のデータを供給するが、２回目のデータ供給では指定時間差が00:09:59.900となるため、供給されるデータの収集時刻は11:00:10.200となる。これにより、画面表示装置６へは0.1秒ごとに0.2秒進んだデータが供給されることになって、画面表示装置６では早送りによる画面表示が行われる。
【００４５】
本実施の形態によれば、トラブルの発生時刻及びその前後におけるプロセスデータを実時間より短時間で画面表示することができるので、オペレータがトラブル発生時のプロセスデータを確認するのに要する時間を短縮することができる。
【００４６】
その他．
ところで、トラブルの解析にはプロセスデータの全てではなく一部のデータ項目があれば足りる場合がある。また。普段は画面表示装置６に表示されていないデータ項目について、トラブル発生時の状況を知りたい場合もある。このような場合、画面表示装置６に表示させるデータ項目をオペレータが任意に選択できれば便利である。
【００４７】
よって、上述の実施の形態においては、現在時刻に対する時間差に加えて画面表示装置６に表示させるデータ項目をオペレータが画面表示装置６に入力できるようになっていることがより好ましい。画面表示装置６の画面は汎用描画ソフトウェアによって構築されていることから、画面上においてデータ項目を選択可能にすることは容易である。オペレータの入力にデータ項目の指示が含まれているのでれば、入力タグ信号としてのオペレータ操作信号に時間差指定タグとともにデータ項目指定タグを付ければよい。
【００４８】
この場合、データサーバ装置１にはデータ項目指定機能を追加すればよい。データ項目指定機能は、入力タグ信号が時間差指定タグとして解釈された場合に、それに含まれるデータ項目指定タグに基づいて画面表示装置６に表示させるデータ項目を指定する機能である。そして、データ項目指定機能により指定されたデータ項目に関し、記憶装置１０２に保存された時系列データから指定時間差だけ遅れた時刻のデータを取り出して時間遅れ表示データを生成するようにすればよい。
【００４９】
これによれば、オペレータは、自身がトラブルの解析に必要と判断するデータを選択的に画面表示させることができ、ＨＭＩとしての画面表示装置をトラブルの解析に適切な画面に変更することができる。
【００５０】
以上、本発明の実施の形態について説明したが、本発明は上述の実施の形態に限定されるものではなく、本発明の趣旨を逸脱しない範囲で種々変形して実施することができる。
【符号の説明】
【００５１】
１  データサーバ装置
２  制御ネットワーク
３  制御ＰＬＣ
４  通信ネットワーク
５  時系列データ描画装置
６  画面表示装置
１０１  プロセスデータインタフェース
１０２  記憶装置
１０３  定周期データ収集機能
１０４  時系列データ保存機能
１０５  要求データ指示機能
１０６  専用インタフェース
１０７  時系列データ取り出し機能
１０８  汎用インタフェース
１０９  入力タグ解釈機能
１１０  入力信号処理機能
１１１  時間差指定機能
１１２  時間遅れ表示データ生成機能
１１３  時間差減算機能
【図１】
0005962623.tif 000002
【図２】
0005962623.tif 000003
【図３】
0005962623.tif 000004
【図４】
0005962623.tif 000005
【図５】
0005962623.tif 000006